(57)【要約】【課題】メール作成途中で他のアプリケーションソフトによる画面に切り替わった場合に、メール作成途中であることをユーザに通知することを可能にする。【解決手段】制御部２１が、メール作成機能として、ユーザがメール作成途中に着信等による他のアプリの起動時に作成途中のメールを保存し、メール作成画面を他のアプリ画面に切り替え、当該アプリ画面が終了した際に待受画面に切り替える制御を行うと共に、アドレス帳編集機能として、メールアドレスをキー操作部１２からの操作に応じて編集する制御を行う。メール作成機能及びアドレス帳編集機能の何れか一方を含む第１の機能の実行途中に、通話及びアラーム機能の何れか一方を含む第２の機能が起動されて当該第２の機能に切り替わった際に、所定のタイミングで、当該第１の機能が実行途中であったことを通知する通知部としてのメール作成途中通知部２５を備えて構成した。【選択図】図１
2013207419.tif 000002
【特許請求の範囲】
【請求項１】
入力操作に応じたメール情報の送受信を制御する制御部と、
アプリケーションソフトの実行に応じて動作を行う第１の機能の実行途中に、当該第１の機能と異なるアプリケーションソフトの実行に応じて動作を行う第２の機能が起動されて当該第２の機能に切り替わった際に、所定のタイミングで、当該第１の機能が実行途中であったことを通知する通知部と
を備えることを特徴とする携帯端末装置。
【請求項２】
前記第１の機能は、入力操作に応じた文字や画像を含むメール情報のメール作成機能及び、メールアドレスを編集可能に登録するアドレス帳編集機能の少なくとも一方を含む機能であり、前記第２の機能は、通話及び設定時刻で警報を通知する機能を含むアラーム機能の少なくとも一方を含む機能であることを特徴とする請求項１記載の携帯端末装置。
【請求項３】
前記所定のタイミングは、前記第１の機能の実行から前記第２の機能の実行に切り替わった時点から一定時間経過したタイミングであることを特徴とする請求項１又は２に記載の携帯端末装置。
【請求項４】
前記通知部は、前記第２の機能の実行に切り替わった後に当該第２の機能の実行が終了していない状態でも、前記所定のタイミングで、前記第１の機能が実行途中であったことを通知することを特徴とする請求項１〜３のいずれか１項に記載の携帯端末装置。
【請求項５】
前記所定のタイミングは、前記第１の機能から前記第２の機能に切り替わり、当該第２の機能が終了した時点から一定時間経過したタイミングであることを特徴とする請求項１又は２に記載の携帯端末装置。
【請求項６】
前記所定のタイミングは、前記第１の機能の実行から前記第２の機能の実行に切り替わった後に画面表示がオフとなった後、当該画面表示がオンとされた動作タイミングであることを特徴とする請求項１又は２に記載の携帯端末装置。
【請求項７】
前記動作タイミングは、携帯端末装置が画面を含む２枚のパネルを面で当接し、一方のパネルと他方のパネルを面一致させる閉状態により画面表示をオフ状態、一方のパネルと他方のパネルをずらす開状態により画面表示をオン状態とするスライド式の場合、前記閉状態から前記開状態となったタイミングであることを特徴とする請求項６に記載の携帯端末装置。
【請求項８】
前記動作タイミングは、携帯端末装置が画面を含む２枚のパネルを蝶番状に折り畳んで画面表示をオフ状態、２枚のパネルを開いてオン状態とする折り畳み式の場合、前記折り畳んだ状態から前記開いた状態となったタイミングであることを特徴とする請求項６に記載の携帯端末装置。
【請求項９】
前記一定時間は、ユーザがキー入力操作により任意に設定可能な時間であることを特徴とする請求項１〜８の何れか１つに記載の携帯端末装置。
【請求項１０】
携帯端末装置が第１の機能の実行途中に、第２の機能が実行されて当該第２の機能に切り替わった際に、所定のタイミングで、当該第１の機能が実行途中であったことを通知するステップ
を有することを特徴とする通知方法。
【発明の詳細な説明】
【技術分野】
【０００１】
本発明は、メール作成途中に、他のアプリケーションソフトの起動により作成途中のメール作成画面が終了し、他のアプリケーションソフトの画面に切り替わる機能を有する、携帯端末装置及び通知方法に関する。
【背景技術】
【０００２】
従来、携帯端末装置においては、ユーザがメール作成途中に、着信等による他のアプリケーションソフト（以降、アプリという）の起動により作成途中のメールが保存されてメール作成画面が終了し、他のアプリによる画面に切り替わり、当該アプリ画面が終了した際に待受画面に切り替わる機能がある。
【０００３】
この種の技術として特許文献１，２に記載のものがある。特許文献１に記載の携帯端末装置は、無線通信網を介して電子メールの送受信が可能な携帯端末において、通信圏内にあるか否かを検出する検出手段と、未送信の電子メールを格納する未送信メール格納手段と、電子メールの送信待機期限を設定する設定手段と、検出手段が通信圏内を検出したときに未送信メールの送信待機期限が切れていない場合は、当該未送信メールを再送信する制御手段とを備えて構成されている。
【０００４】
この構成により、ユーザが通信圏内状態であるかどうかを気にかけず、適切なショートメッセージ及びメール等の電子メールのデータを確実に送信することができる。また、送信出来なかった場合においても、再送信処理を自動的に行うために、ユーザの煩わしさを省くことが可能となっている。
【０００５】
特許文献２の携帯端末装置は、電池によって駆動するとともに、電子メールを送信する携帯端末装置であって、上記電池の残量を検出する検出手段と、未送信の電子メールがあるか否かを判断する未送信メール判断手段と、上記電池の残量が所定量以下となった場合、かつ、未送信の電子メールがある場合に、通知手段を動作させて、上記未送信の電子メールがある旨を通知する通知制御手段とを備えて構成されている。
【０００６】
この構成により、検出手段が電池の残量が所定量以下になったことを検出すると、未送信メール判断手段が未送信の電子メールがあるか否かを判断する。未送信の電子メールがあれば、通知制御手段は通知手段を動作させ、未送信の電子メールがある旨を通知する。これにより、電池がなくなったために電子メールが送信できなくなるという事態を回避するために、未送信の電子メールがある旨をユーザに通知可能となっている。
【先行技術文献】
【特許文献】
【０００７】
【特許文献１】特開２００４−２４８１５９号公報
【特許文献２】特開２００６−２０９４４１号公報
【発明の概要】
【発明が解決しようとする課題】
【０００８】
しかしながら、特許文献１に開示された技術によれば、ユーザが作成したメールを確実に送信することが可能であるが、前述したようにメール作成途中に他のアプリ画面に切り替わってこれが終了後に待受画面に切り替わった場合、ユーザがメール作成途中であることを忘れてしまう可能性が生じるという問題がある。
【０００９】
特許文献２では、携帯端末装置の電池残量が所定量以下になった場合に、未送信のメールがあれば、その未送信のメールがある旨をユーザに通知するようになっているが、電池が所定量以下とならない限りはユーザへの通知が行われない。例えば、ユーザが携帯端末装置を１日１回充電して電池残量が常に上記の所定量以下とならないような場合、未送信のメールがあってもそれをユーザに通知することが出来ないという問題がある。
【００１０】
本発明は上記した課題を解決するためになされたものであり、メール作成途中で他のアプリケーションソフトによる画面に切り替わった場合に、メール作成途中であることをユーザに通知することができる、携帯端末装置及び通知方法を提供することを目的とする。
【課題を解決するための手段】
【００１１】
上記した課題を解決するために本発明は、入力操作に応じたメール情報の送受信を制御する制御部と、アプリケーションソフトの実行に応じて動作を行う第１の機能の実行途中に、当該第１の機能と異なるアプリケーションソフトの実行に応じて動作を行う第２の機能が起動されて当該第２の機能に切り替わった際に、所定のタイミングで、当該第１の機能が実行途中であったことを通知する通知部とを備えることを特徴とする。
【００１２】
本発明において、前記第１の機能は、入力操作に応じた文字や画像を含むメール情報のメール作成機能及び、メールアドレスを編集可能に登録するアドレス帳編集機能の少なくとも一方を含む機能であり、前記第２の機能は、通話及び設定時刻で警報を通知する機能を含むアラーム機能の少なくとも一方を含む機能であることを特徴とする。
【００１３】
本発明において、前記所定のタイミングは、前記第１の機能の実行から前記第２の機能の実行に切り替わった時点から一定時間経過したタイミングであることを特徴とする。
【００１４】
本発明において、前記通知部は、前記第２の機能の実行に切り替わった後に当該第２の機能の実行が終了していない状態でも、前記所定のタイミングで、前記第１の機能が実行途中であったことを通知することを特徴とする。
【００１５】
本発明において、前記所定のタイミングは、前記第１の機能から前記第２の機能に切り替わり、当該第２の機能が終了した時点から一定時間経過したタイミングであることを特徴とする。
【００１６】
本発明において、前記所定のタイミングは、前記第１の機能の実行から前記第２の機能の実行に切り替わり後に画面表示がオフとなった後、当該画面表示がオンとされた動作タイミングであることを特徴とする。
【００１７】
本発明において、前記動作タイミングは、携帯端末装置が画面を含む２枚のパネルを面で当接し、一方のパネルと他方のパネルを面一致させる閉状態により画面表示をオフ状態、一方のパネルと他方のパネルをずらす開状態により画面表示をオン状態とするスライド式の場合、前記閉状態から前記開状態となったタイミングであることを特徴とする。
【００１８】
本発明において、前記動作タイミングは、携帯端末装置が画面を含む２枚のパネルを蝶番状に折り畳んで画面表示をオフ状態、２枚のパネルを開いてオン状態とする折り畳み式の場合、前記折り畳んだ状態から前記開いた状態となったタイミングであることを特徴とする。
【００１９】
本発明において、前記一定時間は、ユーザがキー入力操作により任意に設定可能な時間であることを特徴とする。
【００２０】
また、本発明は、携帯端末装置が第１の機能の実行途中に、第２の機能が実行されて当該第２の機能に切り替わった際に、所定のタイミングで、当該第１の機能が実行途中であったことを通知するステップを有することを特徴とする。
【発明の効果】
【００２１】
本発明によれば、メール作成途中で他のアプリケーションソフトによる画面に切り替わった場合に、メール作成途中であることをユーザに通知することができる携帯端末装置及び通知方法を提供することができる。
【図面の簡単な説明】
【００２２】
【図１】本実施形態に係る携帯端末装置の構成を示すブロック図である。
【図２】本実施形態に係る携帯端末装置のメール作成途中から他のアプリに切り替わった際にメール作成途中であることを通知する動作を説明するためのフローチャートである。
【発明を実施するための形態】
【００２３】
以下、添付図面を参照して本発明を実施するための実施の形態（以下、単に本実施形態という）について詳細に説明する。
（実施形態の構成）
図１は、本実施形態に係る携帯端末装置１０の構成を示すブロック図である。本実施形態に係る携帯端末装置１０は、外部に、文字や画像等を表示するディスプレイ１１と、この下方に０〜９，♯，＊等のキー操作部１２と、マイク１３と、発光部１４と、撮影部１５とを備え、内部に、スピーカ１６と、信号処理部１７と、アンテナ１８ａが接続された無線部１８と、振動部１９と、記憶部２０と、制御部２１と、充電用の電池２２ａが内蔵される電源部２２と、更に、制御部２１に設けられたメール作成途中通知部２５とを備えて構成されている。なお、メール作成途中通知部２５は、制御部２１の外部に設けても良い。
【００２４】
ディスプレイ１１は、カラー表示を行うバックライト方式の液晶ディスプレイであり、液晶パネルと当該液晶パネルに光を照射するためにバックライトを備える。このディスプレイ１１は制御部２１から入力された制御信号に基づき文字、図形、記号、画像などの各種情報を表示する。また、ディスプレイ１１は、液晶ディスプレイ以外に限らず、例えば、有機ＥＬディスプレイや、複数のＬＥＤ(Light Emitting Diode)がマトリックス上に配列されたディスプレイであってもよい。この他、ディスプレイ１１は、図示せぬタッチパネル入力手段を備え、このタッチパネル入力手段におけるユーザの画面操作に応じた入力信号を制御部２１へ出力するようにしてもよい。
【００２５】
キー操作部１２は、ユーザの入力操作に応じた入力信号を制御部２１へ出力する。その入力操作は、例えば、着信や発信時の入力、音量の調整入力、ディスプレイ１１の輝度調整の入力、電源オン／オフの切替入力、ディスプレイ１１の表示画面の切替入力、更には、メール作成のための入力、アラーム報知時刻に所望のスケジュール内容を対応付けたアラーム設定情報の入力等である。
【００２６】
スピーカ１６は、制御部２１の音声出力処理に応じて信号処理部１７から出力されるアナログ信号に基づき外部に音を出力する。制御部２１から信号処理部１７へはデジタル信号入力であるが、このデジタル信号が信号処理部１７でアナログ信号にデジタル／アナログ変換され、アナログ信号としてスピーカ１６へ出力されるようになっている。
【００２７】
マイク１３は、外部からの音声をアナログ信号に変換して信号処理部２１０を介して制御部２１へ出力する。そのアナログ信号は、信号処理部１７でアナログ／デジタル変換さ
れ、このデジタル信号が制御部２１へ出力されるようになっている。
【００２８】
発光部１４は、ＬＥＤなどの発光素子により構成されており、制御部２１から出力された制御信号によって外部へ光を照射する。この発光部１４は、電話の着信、メールの受信、アラーム日時到来などを、外部へ光を照射することにより報知する。
【００２９】
撮影部１５は、キー操作部１２からの入力操作に応じて動画や静止画を撮影する。この撮影された動画や静止画は、制御部２１を介して記憶部２０に記憶される。
【００３０】
無線部１８は、アンテナ１８ａの電波の送受信動作に応じて他携帯端末装置や基地局と無線通信を行う。この際、無線部１８は、アンテナ１８ａで受信される所定の高周波信号に対して復調及び復号処理を行いデジタル音声信号へと変換する。また、制御部２１から入力されたデジタル音声信号に符号化及び変調処理を行い高周波信号に変換してアンテナ１８ａから送信する。また、無線部１８は、他の携帯端末装置等とアンテナ１８ａを介してメールの送受信動作を行う。
【００３１】
振動部１９は、図示せぬモータを備えて構成され、制御部２１から出力された制御信号によって機械的振動を発生する。例えば、電話の着信、メールの受信、アラーム日時到来などを機械的振動によって報知する。
【００３２】
記憶部２０は、携帯端末装置１０の各種機能を制御するプログラムや、発着信対象となる複数のユーザ（特定ユーザともいう）の電話番号及びメールアドレス、メール作成途中の情報や、複数の特定ユーザからの着信音及び着信画像や待受け画像等のコンテンツ情報を記憶する。
【００３３】
電源部２２は、リチウムイオン電池などの充放電可能な電池によって構成され、携帯端末装置１０に電力を供給する。
【００３４】
制御部２１は、ＣＰＵ(Central Processing Unit)及びＤＳＰ(Digital Signal Processor)などで構成され、携帯端末装置１０に備えられた各構成要素を制御することにより携
帯端末装置１０を統括的に管理して、各種機能を実行する。例えば、制御部２１は、キー操作部１２の入力操作に基づき、携帯端末装置１０に備えられた入力操作に応じた文字や画像を含むメール情報のメール作成機能を含むメール機能、メールアドレスを編集可能に登録するアドレス帳編集機能、発着信や通話を行う電話機能、通話及び設定時刻で警報を通知する機能を含むアラーム機能などを実行したり、記憶部２０に入力情報を記憶したり、記憶部２０に記憶されたプログラムを実行したりする。
【００３５】
また、制御部２１は、メール作成機能として、ユーザがメール作成途中に着信等による他のアプリの起動時に作成途中のメールを保存し、メール作成画面を他のアプリ画面に切り替え、当該アプリ画面が終了した際に待受画面に切り替える制御を行う。更に、アドレス帳編集機能として、メールアドレスをキー操作部１２からの操作に応じて編集する制御を行う。
【００３６】
メール作成途中通知部２５は、制御部２１の制御によりメール作成途中に着信等の他のアプリ起動によりディスプレイ１１のメール作成画面から他のアプリ画面に切り替わった時点から所定のタイミングで、他のアプリの実行が終了していなくても、メール作成途中の画面を表示してユーザに通知する制御を行う。但し、所定のタイミングとは一定時間経過したタイミングであり、その一定時間はユーザがキー操作部１２から任意に設定可能となっている。
（実施形態の動作）
以下、図１に示す本実施形態に係る携帯端末装置１０のメール作成途中から他のアプリに切り替わった際にメール作成途中であることを通知する動作を、図２のフローチャートを参照して詳細に説明する。
【００３７】
まず、携帯端末装置１０において、ユーザがキー操作部１２の操作によりディスプレイ１１にメール作成画面を表示し、所定のキー操作によりメール作成を開始したとする（ステップＳ１）。そのキー操作入力に応じて制御部２１のメール作成機能によりメール作成のための文字入力等の制御が行われる。
【００３８】
次に、メール作成途中通知部２５により、そのメール作成途中か否かが判断される（ステップＳ２）。メール作成途中でなければメール作成が完了した状態となっている（ステップＳ３）。
【００３９】
一方、メール作成途中と判断された場合は、メール作成途中通知部２５により、他のアプリ起動でメール作成画面がそのアプリ画面に切り替わったか否かが判断される。この結果、切り替わっていなければステップＳ２に戻る。ここで例えば、メール作成途中に着信があって通話用のアプリが起動してその画面に切り替わった場合、メール作成途中通知部２５により、一定時間が経過したか否かが判断される（ステップＳ５）。但し、一定時間は、ユーザがキー操作部１２のキー操作により任意に設定した時間である。
【００４０】
ここで、一定時間が経過したと判断された場合、メール作成途中通知部２５の制御により、通話画面がメール作成途中の画面に切り替わって表示され、メール作成途中であることがユーザに通知される。そのメール作成途中画面への切り替えは、通話状態が継続中であっても実行される。
（実施形態の効果）
以上説明のように本実施形態に係る携帯端末装置１０は、制御部２１が、メール作成機能として、ユーザがメール作成途中に着信等による他のアプリの起動時に作成途中のメールを保存し、メール作成画面を他のアプリ画面に切り替え、当該アプリ画面が終了した際に待受画面に切り替える制御を行うと共に、アドレス帳編集機能として、メールアドレスをキー操作部１２からの操作に応じて編集する制御を行う。
【００４１】
本実施形態の特徴は、メール作成機能及びアドレス帳編集機能の何れか一方を含む第１の機能の実行途中に、通話及びアラーム機能の何れか一方を含む第２の機能が起動されて当該第２の機能に切り替わった際に、所定のタイミングで、当該第１の機能が実行途中であったことを通知する通知部としてのメール作成途中通知部２５を備えて構成したことにある。
【００４２】
この構成によれば、第１の機能によるメール作成途中で、第２の機能による通話に切り換わった時点から所定のタイミングで、メール作成途中画面を表示して通知する。これによって、メール作成途中画面が表示状態となるので、ユーザがメール作成途中であることを忘れることがなくなる。
【００４３】
また、上記の所定のタイミングが、第１の機能の実行から第２の機能の実行に切り替わった時点から一定時間経過したタイミングであることとした。これによって、第１の機能の実行から第２の機能の実行に切り替わった後、速やかにメール作成途中の画面を表示することが出来る。
【００４４】
また、メール作成途中通知部２５が、第２の機能の実行に切り替わった後に当該第２の機能の実行が終了していない状態でも、所定のタイミングで、第１の機能が実行途中であったことを通知するようにした。これによって、第１の機能によるメール作成途中で、第
２の機能の実行に切り替わった時点から、通話が終わっていなくても、所定のタイミングでメール作成途中画面が表示されるので、ユーザは通話が終了してもメール作成途中であることを忘れることがなくなる。
【００４５】
この他に、上記の所定のタイミングが、第１の機能の実行から第２の機能の実行に切り替わり、当該第２の機能の実行が終了した時点から一定時間経過したタイミングであることとしてもよい。この場合、切り替わった後の第２の機能の実行が終了してから一定時間経過後にメール作成途中画面が表示される。つまり、ユーザが通話などを終えて、その通話が長時間でメール作成途中であったことを忘れた状態でも、そのメール作成途中であることを認識することが可能となる。
【００４６】
また、上記の所定のタイミングが、第１の機能の実行から第２の機能の実行に切り替わった後に画面表示がオフとなった後、当該画面表示がオンとされた動作タイミングであることとした。これによって、ユーザが次に携帯端末装置１０の画面をオンとした際に、メール作成途中画面が表示されるので、そのメール作成途中であったことを効率よく認識させることが出来る。
【００４７】
また、上記の動作タイミングは、携帯端末装置１０が、ディスプレイ１１である画面を含む２枚のパネルを面で当接し、一方のパネルと他方のパネルを面一致させる閉状態により画面表示をオフ状態、一方のパネルと他方のパネルをずらす開状態により画面表示をオン状態とするスライド式の場合、閉状態から開状態となったタイミングであることとした。
【００４８】
これによって、ユーザが、スライド式の携帯端末装置１０を使用時にスライド動作させた際に画面がオンとなり、この時に、メール作成途中画面が表示されるので、そのメール作成途中であったことを効率よく認識させることが出来る。
【００４９】
この他、上記動作タイミングが、携帯端末装置１０が、画面を含む２枚のパネルを蝶番状に折り畳んで画面表示をオフ状態、２枚のパネルを開いてオン状態とする折り畳み式の場合、折り畳んだ状態から開いた状態となったタイミングであることとした。
【００５０】
これによって、ユーザが、折り畳み式の携帯端末装置１０を使用時に折り畳んだ状態から開いた際に画面がオンとなり、この時に、メール作成途中画面が表示されるので、そのメール作成途中であったことを効率よく認識させることが出来る。
【００５１】
また、上記の所定のタイミングとしての一定時間は、ユーザがキー入力操作により任意に設定可能な時間であることとした。これによって、ユーザがメール作成途中の画面を表示する時間を任意に設定することが出来る。
【００５２】
これらの効果を奏する携帯端末装置１０は、次の送信先候補表示方法としても実現可能である。即ち、携帯端末装置１０が第１の機能の実行途中に、第２の機能が実行されて当該第２の機能に切り替わった際に、所定のタイミングで、当該第１の機能が実行途中であったことを通知するステップを実行する方法が実現可能である。
【００５３】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。
【符号の説明】
【００５４】
１０・・携帯端末装置、１１‥ディスプレイ、１２‥キー操作部、１３‥マイク、１４‥発光部、１５‥撮影部、１６‥スピーカ、１７‥信号処理部、１８ａ‥アンテナ、１８‥無線部、１９‥振動部、２０‥記憶部、２１‥制御部、２２ａ‥電池、２２‥電源部、２５‥メール作成途中通知部。
【図１】
2013207419.tif 000003
【図２】
2013207419.tif 000004